(57)【要約】【課題】停電時の返血工程において必要とされる十分な透析液を確保することができるとともに、血液浄化治療時に必要な装置構成を流用して停電時の返血工程を実行させることができる血液浄化装置を提供する。【解決手段】透析液導入ラインＬ１の透析液をダイアライザ４に送液するとともに、ダイアライザ４の透析液を透析液排出ラインＬ２に送液する複式ポンプ５と、空気導入部と、複式ポンプ５を迂回する迂回ラインと、少なくとも血液ポンプ２に電力供給する予備電源Ｂと、装置に対する電力供給が停止したとき、予備電源Ｂからの電力供給により血液ポンプ２を駆動させるとともに、空気導入部から空気を導入しつつ迂回ラインの透析液を含む透析液導入ラインＬ１又は透析液排出ラインＬ２の透析液を血液回路１に導入し、当該血液回路１内の血液を患者に戻す停電時の返血工程を実行する制御部１１とを具備する。【選択図】図１
2020103709.tif 000002
【特許請求の範囲】
【請求項１】
患者の血液を浄化するための血液浄化器が介装された状態で、血液を体外循環させる血液回路と、
前記血液回路に配設されて血液を送液する血液ポンプと、
前記血液浄化器に透析液を導入する透析液導入ラインと、
前記血液浄化器から透析液を排出する透析液排出ラインと、
前記透析液導入ラインの透析液を前記血液浄化器に送液するとともに、前記血液浄化器の透析液を前記透析液排出ラインに送液する送液部と、
前記透析液導入ライン又は透析液排出ラインに外部の空気を導入する空気導入部と、
前記透析液導入ライン又は前記透析液排出ラインにおける前記送液部を迂回する迂回ラインと、
装置に対する電力供給が停止したとき、少なくとも前記血液ポンプに電力供給する予備電源と、
装置に対する電力供給が停止したとき、前記予備電源からの電力供給により前記血液ポンプを駆動させるとともに、前記空気導入部から空気を導入しつつ前記迂回ラインの透析液を含む前記透析液導入ライン又は透析液排出ラインの透析液を前記血液回路に導入し、当該血液回路内の血液を患者に戻す停電時の返血工程を実行する制御部と、
を具備する血液浄化装置。
【請求項２】
前記空気導入部は、前記透析液導入ラインの前記送液部より上流側又は前記透析液排出ラインの前記送液部より下流側に形成される請求項１記載の血液浄化装置。
【請求項３】
前記空気導入部は、前記血液回路と接続されて当該血液回路内の液体を前記透析液排出ラインに排出する排出ポートである請求項１又は請求項２記載の血液浄化装置。
【請求項４】
前記迂回ラインは複数形成されるとともに、前記制御部は、当該複数の迂回ラインの透析液を含む前記透析液導入ライン又は透析液排出ラインの透析液を前記血液回路に導入させる請求項１〜３の何れか１つに記載の血液浄化装置。
【請求項５】
前記透析液導入ラインに形成されて当該透析液導入ラインを流れる透析液を濾過して浄化する濾過フィルタを具備し、前記停電時の返血工程において、前記濾過フィルタを通過した透析液を前記血液回路に導入する請求項１〜３の何れか１つに記載の血液浄化装置。
【請求項６】
前記透析液導入ラインと前記血液回路とを連通して当該透析液導入ラインの透析液を前記血液回路に供給する供給流路を有するとともに、前記停電時の返血工程において、当該供給流路を介して透析液が前記血液回路に導入される請求項１〜５の何れか１つに記載の血液浄化装置。
【請求項７】
前記供給流路に形成されて前記透析液導入ラインの透析液を前記血液回路に送液する供給ポンプを具備し、前記停電時の返血工程において、前記予備電源からの電力供給により前記血液ポンプ及び供給ポンプを駆動させる請求項６記載の血液浄化装置。
【発明の詳細な説明】
【技術分野】
【０００１】
本発明は、血液回路にて体外循環する血液を血液浄化器で浄化するための血液浄化装置に関するものである。
【背景技術】
【０００２】
一般に、透析治療に使用される血液浄化装置としての透析装置は、血液回路に接続されたダイアライザ（血液浄化器）に透析液を供給するとともに、透析により老廃物を含んだ透析液をダイアライザから排出すべく透析液導入ライン及び透析液排出ラインが延設されている。これら透析液導入ライン及び透析液排出ラインは、その先端がダイアライザの透析液導入口及び透析液導出口にそれぞれ接続されるとともに、透析液導入ラインの基端が透析液供給装置に接続されてダイアライザに対する透析液の供給が行われている。
【０００３】
ところで、近時において、透析治療時にダイアライザへ供給するための透析液を血液回路側へも導き、その透析液にて血液回路等のプライミング、透析治療中の補液或いは透析治療後の返血を行わせる技術が提案されるに至っている。しかし、このような血液浄化装置においては、生理食塩液を血液回路に供給するための生食ラインを不要とすることができるものの、停電などによって、透析装置における各種アクチュエータや該透析装置に透析液を供給する透析液供給装置が停止してしまった場合、血液回路内の血液を患者に戻す返血を行うことができない。
【０００４】
かかる不具合を解消すべく、従来、透析液を貯留する貯留容器を具備するとともに、停電などにより電力供給が停止した場合、補助電源からの電力供給によって、補液ポンプ、血液ポンプ、密閉された透析液回路を外部に開放する開放手段、制御手段等を作動させ、貯留容器の透析液を血液回路に送液して返血するものが提案されている（例えば特許文献１参照）。
【先行技術文献】
【特許文献】
【０００５】
【特許文献１】特許第５５１９４２７号公報
【発明の概要】
【発明が解決しようとする課題】
【０００６】
しかしながら、上記従来の血液浄化装置においては、貯留容器が専ら停電時のみ必要なものであるため、その容量をあまり大きくすることができず、返血のための十分な透析液を確保するのが難しいという問題がある。また、通常の血液浄化治療時に必要な装置構成とは別個の貯留容器が必要とされるため、装置構成が複雑化してしまうという問題もある。
【０００７】
本発明は、このような事情に鑑みてなされたもので、停電時の返血工程において必要とされる十分な透析液を確保することができるとともに、血液浄化治療時に必要な装置構成を流用して停電時の返血工程を実行させることができる血液浄化装置を提供することにある。
【課題を解決するための手段】
【０００８】
請求項１記載の発明は、患者の血液を浄化するための血液浄化器が介装された状態で、血液を体外循環させる血液回路と、前記血液回路に配設されて血液を送液する血液ポンプと、前記血液浄化器に透析液を導入する透析液導入ラインと、前記血液浄化器から透析液を排出する透析液排出ラインと、前記透析液導入ラインの透析液を前記血液浄化器に送液するとともに、前記血液浄化器の透析液を前記透析液排出ラインに送液する送液部と、前記透析液導入ライン又は透析液排出ラインに外部の空気を導入する空気導入部と、前記透析液導入ライン又は前記透析液排出ラインにおける前記送液部を迂回する迂回ラインと、装置に対する電力供給が停止したとき、少なくとも前記血液ポンプに電力供給する予備電源と、装置に対する電力供給が停止したとき、前記予備電源からの電力供給により前記血液ポンプを駆動させるとともに、前記空気導入部から空気を導入しつつ前記迂回ラインの透析液を含む前記透析液導入ライン又は透析液排出ラインの透析液を前記血液回路に導入し、当該血液回路内の血液を患者に戻す停電時の返血工程を実行する制御部とを具備する。
【０００９】
請求項２記載の発明は、請求項１記載の血液浄化装置において、前記空気導入部は、前記透析液導入ラインの前記送液部より上流側又は前記透析液排出ラインの前記送液部より下流側に形成される。
【００１０】
請求項３記載の発明は、請求項１又は請求項２記載の血液浄化装置において、前記空気導入部は、前記血液回路と接続されて当該血液回路内の液体を前記透析液排出ラインに排出する排出ポートである。
【００１１】
請求項４記載の発明は、請求項１〜３の何れか１つに記載の血液浄化装置において、前記迂回ラインは複数形成されるとともに、前記制御部は、当該複数の迂回ラインの透析液を含む前記透析液導入ライン又は透析液排出ラインの透析液を前記血液回路に導入させる。
【００１２】
請求項５記載の発明は、請求項１〜３の何れか１つに記載の血液浄化装置において、前記透析液導入ラインに形成されて当該透析液導入ラインを流れる透析液を濾過して浄化する濾過フィルタを具備し、前記停電時の返血工程において、前記濾過フィルタを通過した透析液を前記血液回路に導入する。
【００１３】
請求項６記載の発明は、請求項１〜５の何れか１つに記載の血液浄化装置において、前記透析液導入ラインと前記血液回路とを連通して当該透析液導入ラインの透析液を前記血液回路に供給する供給流路を有するとともに、前記停電時の返血工程において、当該供給流路を介して透析液が前記血液回路に導入される。
【００１４】
請求項７記載の発明は、請求項６記載の血液浄化装置において、前記供給流路に形成されて前記透析液導入ラインの透析液を前記血液回路に送液する供給ポンプを具備し、前記停電時の返血工程において、前記予備電源からの電力供給により前記血液ポンプ及び供給ポンプを駆動させる。
【発明の効果】
【００１５】
請求項１の発明によれば、装置に対する電力供給が停止したとき、予備電源からの電力供給により血液ポンプを駆動させるとともに、空気導入部から空気を導入しつつ迂回ラインの透析液を含む透析液導入ライン又は透析液排出ラインの透析液を血液回路に導入し、当該血液回路内の血液を患者に戻す停電時の返血工程を実行するので、停電時の返血工程において必要とされる十分な透析液を確保することができるとともに、血液浄化治療時に必要な装置構成を流用して停電時の返血工程を実行させることができる。
【００１６】
請求項２の発明によれば、空気導入部は、透析液導入ラインの送液部より上流側又は透析液排出ラインの送液部より下流側に形成されるので、停電時の返血工程において、より十分な量の透析液を確保することができる。
【００１７】
請求項３の発明によれば、空気導入部は、血液回路と接続されて当該血液回路内の液体を透析液排出ラインに排出する排出ポートであるので、排出ポートが血液回路内の液体を排出させる機能と、停電時の返血工程時の空気の導入口としての機能とを兼ね備えることができる。
【００１８】
請求項４の発明によれば、迂回ラインは複数形成されるとともに、制御部は、当該複数の迂回ラインの透析液を含む透析液導入ライン又は透析液排出ラインの透析液を血液回路に導入させるので、停電時の返血工程において、複数の迂回ラインの透析液を使用することができ、より一層十分な量の透析液を確保することができる。
【００１９】
請求項５の発明によれば、透析液導入ラインに形成されて当該透析液導入ラインを流れる透析液を濾過して浄化する濾過フィルタを具備し、停電時の返血工程において、濾過フィルタを通過した透析液を血液回路に導入するので、停電時に清浄な透析液にて返血工程を行わせることができる。
【００２０】
請求項６の発明によれば、透析液導入ラインと血液回路とを連通して当該透析液導入ラインの透析液を血液回路に供給する供給流路を有するとともに、停電時の返血工程において、当該供給流路を介して透析液が血液回路に導入されるので、停電時の返血工程を円滑に行わせることができる。
【００２１】
請求項７の発明によれば、供給流路に形成されて透析液導入ラインの透析液を血液回路に送液する供給ポンプを具備し、停電時の返血工程において、予備電源からの電力供給により血液ポンプ及び供給ポンプを駆動させるので、停電時の返血工程を短時間で行わせることができる。
【図面の簡単な説明】
【００２２】
【図１】本発明の第１の実施形態に係る血液透析装置を示す模式図
【図２】同血液透析装置による停電時の返血工程（第１返血工程）時の状態を示す模式図
【図３】同血液浄化装置による停電時の返血工程（第２返血工程）時の状態を示す模式図
【図４】本発明の第２の実施形態に係る血液透析装置による停電時の返血工程時の状態を示す模式図
【図５】本発明の第３の実施形態に係る血液透析装置による停電時の返血工程時の状態を示す模式図
【図６】本発明の第４の実施形態に係る血液透析装置による停電時の返血工程時の状態を示す模式図
【図７】本発明の第５の実施形態に係る血液透析装置による停電時の返血工程時の状態を示す模式図
【発明を実施するための形態】
【００２３】
以下、本発明の実施形態について図面を参照しながら具体的に説明する。
第１の実施形態に係る血液浄化装置は、血液透析装置に適用されたもので、図１に示すように、動脈側血液回路１ａ及び静脈側血液回路１ｂから成る血液回路１と、血液ポンプ２と、血液浄化器としてのダイアライザ４と、送液部としての複式ポンプ５と、透析液導入ラインＬ１及び透析液排出ラインＬ２と、濾過フィルタ７ａ、７ｂと、制御部１１と、予備電源Ｂとを有して構成されている。
【００２４】
血液回路１は、患者の血液を体外循環させるための可撓性チューブから成り、動脈側血液回路１ａ及び静脈側血液回路１ｂを有して構成されている。動脈側血液回路１ａの先端には、動脈側穿刺針ａを取り付けるためのコネクタが形成されるとともに、静脈側血液回路１ｂの先端には、静脈側穿刺針ｂを取り付けるためのコネクタが形成されており、これら動脈側穿刺針ａ及び静脈側穿刺針ｂを患者に穿刺して血液ポンプ２を駆動させることにより、患者の血液を血液回路１にて体外循環可能とされている。なお、動脈側血液ポンプ１ａの先端部には、血液の流路を閉止可能なクランプ部Ｖａを有するとともに、静脈側血液ポンプ１ｂの先端部には、血液の流路をクランプして閉止可能なクランプ部Ｖｂを有している。
【００２５】
血液ポンプ２は、血液回路１（動脈側血液回路１ａ）に配設されて血液を送液するもので、動脈側血液回路１ａに接続された軟質及び太径のポンプチューブをしごくことにより送液可能なしごき型ポンプにて構成されている。そして、血液ポンプ２を駆動（正回転駆動）させると、ポンプチューブをしごいて患者の血液を動脈側穿刺針ａ側からダイアライザ４の血液導入口４ａの方向に流動させ得るようになっている。
【００２６】
ダイアライザ４は、体外循環する患者の血液を浄化するためのもので、不図示の血液浄化膜（本実施形態においては中空糸膜であるが半透膜及び濾過膜を含む）を内在している。また、ダイアライザ４は、血液を導入する血液導入口４ａ及び導入した血液を導出する血液導出口４ｂが形成されるとともに、透析液導入ラインＬ１の先端が接続されて透析液を導入する透析液導入口４ｃ、及び透析液排出ラインＬ２の先端が接続されて導入した透析液を排出する透析液排出口４ｄが形成されている。
【００２７】
しかして、血液回路１にて体外循環する血液は、血液導入口４ａから導入された後、中空糸膜を介して透析液と接触されて血液浄化作用が施されるようになっている。なお、体外循環の過程において、ダイアライザ４にて浄化された血液は、静脈側血液回路１ｂに接続されたエアトラップチャンバ３にて除泡が施された後、静脈側穿刺針ｂを介して患者の体内に戻されることとなる。
【００２８】
一方、透析装置本体には、透析液導入ラインＬ１及び透析液排出ラインＬ２が配設されており、透析液導入ラインＬ１は、ダイアライザ４に透析液を導入する配管から成るとともに、透析液排出ラインＬ２は、ダイアイライザ４から透析液を排出する配管から成る。具体的には、透析液導入ラインＬ１及び透析液排出ラインＬ２の基端側には、それぞれ透析液供給装置（透析液供給源）及び透析液排出手段（何れも不図示）が接続されるとともに、これら透析液導入ラインＬ１及び透析液排出ラインＬ２に跨って複式ポンプ５（或いはこれに代えてチャンバ等であってもよい）が配設されている。
【００２９】
複式ポンプ５は、透析液導入ラインＬ１の透析液をダイアライザ４に送液するとともに、ダイアライザ４の透析液（排液）を透析液排出ラインＬ２に送液するもので、装置に対する電力供給にて駆動し得るようになっている。そして、複式ポンプ５を駆動させることにより、透析液導入ラインＬ１を介して透析液供給装置からダイアライザ４に対して調製された透析液を供給するとともに、透析液排出ラインＬ２を介してダイアライザ４から排出された透析液が透析液排出手段に至るよう構成されている。
【００３０】
また、透析液導入ラインＬ１には、電磁弁Ｖ１、電磁弁Ｖ３及び電磁弁Ｖ１１が配設されるとともに、濾過フィルタ（７ａ、７ｂ）と、熱交換器８と、加温器９と、供給ポートＰ１とが接続されている。濾過フィルタ（７ａ、７ｂ）は、透析液導入ラインＬ１を流れる透析液を濾過して浄化するためのもので、濾過膜を介して被濾過透析液（濾過されるべき透析液）が流動する１次室と濾過透析液（濾過された後の透析液）が流動する２次室とをそれぞれ具備して構成されている。なお、濾過フィルタ（７ａ、７ｂ）の濾過膜は、透析液は通過させつつ空気は通過させず遮蔽する性質を有する。
【００３１】
熱交換器８は、透析液排出ラインＬ２を流れる透析液（排液）が導入され、その透析液（排液）の熱を透析液導入ラインＬ１にて流れる透析液に伝達させるもので、透析液導入ラインＬ１における電磁弁Ｖ１１と加温器９との間に配設されている。加温器９は、ダイアライザ４に導入する透析液を加温するためのもので、熱交換器８と複式ポンプ５の給液側との間に配設されている。供給ポートＰ１は、プライミングラインとしての供給流路Ｌ３の基端を接続可能な接続部から成り、透析液導入ラインＬ１における電磁弁Ｖ１と濾過フィルタ７ｂとの間に接続されている。
【００３２】
供給流路Ｌ３は、透析液導入ラインＬ１と血液回路１（本実施形態においては動脈側血液回路１ａ）とを連通して当該透析液導入ラインＬ１の透析液を血液回路１に供給するための可撓性チューブから成る。かかる供給流路Ｌ３には、透析液の流路をクランプして閉止可能なクランプ部Ｖｃを有しており、プライミング工程、補液工程又は返血工程において、任意タイミングで血液回路１に透析液導入ラインＬ１の透析液を供給し得るようになっている。
【００３３】
さらに、透析液排出ラインＬ２には、電磁弁Ｖ２及び電磁弁Ｖ１２が配設されるとともに、脱ガスチャンバ１０が接続されている。脱ガスチャンバ１０は、透析液（排液）中に含まれる空気（気泡）を捕捉し得るチャンバから成り、透析液排出ラインＬ２における電磁弁Ｖ２と複式ポンプ５の排液側との間に配設されている。かかる脱ガスチャンバ１０は、内部の液面を検知するフロート等の検知部を有するとともに、上部から迂回ラインＬ９が延設されている。
【００３４】
また、本実施形態においては、透析液導入ラインＬ１と透析液排出ラインＬ２をバイパスするバイパスラインＬ４、Ｌ５及びＬ６が接続されており、これらバイパスラインＬ４、Ｌ５及びＬ６には、電磁弁Ｖ４、Ｖ５及びＶ６がそれぞれ配設されている。なお、バイパスラインＬ５及びＬ６は、透析液導入ラインＬ１の濾過フィルタ７ａ、７ｂとそれぞれ接続されている。
【００３５】
またさらに、本実施形態に係る透析液排出ラインＬ２には、複式ポンプ５（送液部）の排液側を迂回する迂回ライン（Ｌ７、Ｌ８、Ｌ９）が接続されている。このうち迂回ラインＬ７には、除水ポンプ６が接続されており、血液回路１にて患者の血液を体外循環させる過程で除水ポンプ６を駆動させることにより、ダイアライザ４を流れる血液から水分を取り除いて除水し得るようになっている。
【００３６】
迂回ラインＬ８は、一端が複式ポンプ５の排液側より上流側に接続され、他端が複式ポンプ５の排液側より下流側に接続されるとともに、電磁弁Ｖ１０が配設されている。そして、電磁弁Ｖ１０を開状態とすることにより、透析液排出ラインＬ２を流れる透析液（排液）が複式ポンプ５の排液側を迂回して流れるようになっている。
【００３７】
迂回ラインＬ９は、一端が脱ガスチャンバ１０の上部から延設されるとともに、他端側が第１迂回ラインＬ９ａと第２迂回ラインＬ９ｂとに分岐している。第２迂回ラインＬ９ｂは、電磁弁Ｖ９が配設され、先端が透析液排出ラインＬ２における熱交換器８の下流側に接続されている。第１迂回ラインＬ９ａは、電磁弁Ｖ７及び電磁弁Ｖ８が配設され、これら電磁弁Ｖ７及び電磁弁Ｖ８の間に空気導入部としての排出ポートＰ２が接続されるとともに、先端がバイパスラインＬ４に接続されている。
【００３８】
排出ポートＰ２は、透析液排出ラインＬ２の複式ポンプ５（送液部）より下流側に形成された接続ポートから成り、返血終了後の血液回路１（例えば、動脈側穿刺針ａ及び静脈側穿刺針ｂが取り外されたコネクタ等）と接続されて当該血液回路１内の液体（例えば、返血が終了した後の置換液）を透析液排出ラインＬ２に排出し得るとともに、停電時の返血工程においては、外部から空気を導入し得る開口を有している。
【００３９】
予備電源Ｂは、医療設備や治療室の停電等によって装置に対する電力供給が停止したとき、少なくとも血液ポンプ２に電力供給するバックアップ用バッテリから成るものである。すなわち、通常時においては、装置に供給される電力にて専ら蓄電され、停電等によって装置に対する電力供給が停止した場合、血液ポンプ２に電力供給して返血工程を行わせ得るよう構成されている。
【００４０】
制御部１１は、マイコン等から成り、装置に対する電力供給が停止したとき、予備電源Ｂからの電力供給により血液ポンプ２を駆動させるとともに、排出ポートＰ２（空気導入部）から空気を導入しつつ迂回ライン（Ｌ８、Ｌ９）の透析液を含む透析液導入ラインＬ１又は透析液排出ラインＬ２の透析液を血液回路１に導入し、当該血液回路１内の血液を患者に戻す停電時の返血工程を実行するものである。
【００４１】
より具体的に説明すると、制御部１１は、装置に対する電力供給が停止すると、図２に示すように、予備電源Ｂによる電力供給にて、電磁弁（Ｖ１、Ｖ２、Ｖ４、Ｖ６、Ｖ７、Ｖ１１、Ｖ１２）を閉状態としつつ電磁弁（Ｖ３、Ｖ５、Ｖ８、Ｖ９）を開状態とする。このとき、複式ポンプ５は停止状態とされるとともに、クランプ部Ｖａは閉状態、クランプ部Ｖｂ、Ｖｃは開状態とされている。
【００４２】
そして、予備電源Ｂによる電力供給にて血液ポンプ２を駆動させると、排出ポートＰ２を介して外部から空気が導入され、迂回ラインＬ９（第１迂回ラインＬ９ａの一部及び第２迂回ラインＬ９ｂを含む）の透析液を含む透析液導入ラインＬ１及び透析液排出ラインＬ２の透析液（図２中太線で示す部位の透析液）が供給ポートＰ１を介して供給流路Ｌ３に至り、血液回路１に導入される。
【００４３】
その後、脱ガスチャンバ１０にて空気が検出されると、制御部１１は、図３に示すように、予備電源Ｂによる電力供給にて、電磁弁（Ｖ１、Ｖ２、Ｖ４、Ｖ６、Ｖ７、Ｖ９、Ｖ１１、Ｖ１２）を閉状態としつつ電磁弁（Ｖ３、Ｖ５、Ｖ８、Ｖ１０）を開状態として透析液の流路を切り替える。なお、クランプ部Ｖａの閉状態、クランプ部Ｖｂ、Ｖｃの開状態は維持されている。
【００４４】
そして、予備電源Ｂによる電力供給にて血液ポンプ２を駆動させると、排出ポートＰ２を介して外部から空気が導入され、迂回ラインＬ８（第１迂回ラインＬ９ａの一部を含む）の透析液を含む透析液導入ラインＬ１及び透析液排出ラインＬ２の透析液（図２中太線で示す部位の透析液）が供給ポートＰ１を介して供給流路Ｌ３に至り、血液回路１に導入される。
【００４５】
このように、血液回路１に透析液が導入されることにより、血液回路１内の血液を透析液に置換することができるので、血液回路１内の血液を患者に戻して停電時の返血工程を実行することができる。また、電力消費量が比較的大きい複式ポンプ５を駆動させず電力消費量が比較的小さい血液ポンプ２を駆動させることによって、停電時の返血工程を実行することができ、より確実に返血させることができる。
【００４６】
次に、本発明の第２の実施形態に係る血液浄化装置について説明する。
本実施形態に係る血液浄化装置は、血液透析装置に適用されたもので、図４に示すように、第１の実施形態と同様の装置構成とされている。すなわち、本実施形態に係る血液浄化装置は、血液回路１と、血液ポンプ２と、血液浄化器としてのダイアライザ４と、送液部としての複式ポンプ５と、透析液導入ラインＬ１及び透析液排出ラインＬ２と、濾過フィルタ７ａ、７ｂと、制御部１１と、予備電源Ｂとを有して構成されている。なお、第１の実施形態と同様の構成要素には同一の符号を付し、それらの詳細な説明を省略する。
【００４７】
ここで、本実施形態に係る空気導入部は、透析液排出ラインＬ２の基端（図４中右端）から成り、大気開放されつつダイアライザ４から排出された透析液（排液）を透析液排出手段（不図示）に流出させ得る部位から成る。かかる空気導入部（透析液排出ラインＬ２の基端）は、透析液排出ラインＬ２の複式ポンプ５（送液部）より下流側に形成された大気開放部から成る。
【００４８】
これにより、本実施形態に係る制御部１１は、装置に対する電力供給が停止したとき、予備電源Ｂからの電力供給により血液ポンプ２を駆動させるとともに、透析液排出ラインＬ２の先端の大気開放部から空気を導入しつつ迂回ラインＬ８の透析液を含む透析液導入ラインＬ１又は透析液排出ラインＬ２の透析液を血液回路１に導入し、当該血液回路１内の血液を患者に戻す停電時の返血工程を実行するよう構成されている。
【００４９】
より具体的に説明すると、制御部１１は、装置に対する電力供給が停止すると、図４に示すように、予備電源Ｂによる電力供給にて、電磁弁（Ｖ１、Ｖ２、Ｖ４、Ｖ６、Ｖ７、Ｖ８、Ｖ９、Ｖ１１）を閉状態としつつ電磁弁（Ｖ３、Ｖ５、Ｖ１０、Ｖ１２）を開状態とする。このとき、複式ポンプ５は停止状態とされるとともに、クランプ部Ｖａは閉状態、クランプ部Ｖｂ、Ｖｃは開状態とされている。
【００５０】
そして、予備電源Ｂによる電力供給にて血液ポンプ２を駆動させると、透析液排出ラインＬ２の先端の大気開放部を介して外部から空気が導入され、迂回ラインＬ８の透析液を含む透析液導入ラインＬ１及び透析液排出ラインＬ２の透析液（図４中太線で示す部位の透析液）が供給ポートＰ１を介して供給流路Ｌ３に至り、血液回路１に導入される。このように、血液回路１に透析液が導入されることにより、血液回路１内の血液を透析液に置換することができるので、血液回路１内の血液を患者に戻して停電時の返血工程を実行することができる。
【００５１】
次に、本発明の第３の実施形態に係る血液浄化装置について説明する。
本実施形態に係る血液浄化装置は、血液透析装置に適用されたもので、図５に示すように、第１の実施形態の構成に加え、迂回ラインＬ１０と、空気導入部としての接続ラインＬ１１とを有して構成されている。すなわち、本実施形態に係る血液浄化装置は、血液回路１と、血液ポンプ２と、血液浄化器としてのダイアライザ４と、送液部としての複式ポンプ５と、透析液導入ラインＬ１及び透析液排出ラインＬ２と、濾過フィルタ７ａ、７ｂと、制御部１１と、予備電源Ｂと、迂回ラインＬ１０と、接続ラインＬ１１とを有して構成されている。なお、第１の実施形態と同様の構成要素には同一の符号を付し、それらの詳細な説明を省略する。
【００５２】
ここで、本実施形態に係る迂回ラインＬ１０は、透析液導入ラインＬ１における複式ポンプ５の給液側（送液部）を迂回するための流路から成り、電磁弁Ｖ１３が配設されている。また、空気導入部としての接続ラインＬ１１は、先端が透析液導入ラインＬ１における電磁弁Ｖ１１と熱交換器８との間に接続され、基端が大気開放とされるとともに、電磁弁Ｖ１４が配設されている。かかる空気導入部（接続ラインＬ１１）は、透析液導入ラインＬ１の複式ポンプ５（送液部）より上流側に形成された流路から成る。
【００５３】
これにより、本実施形態に係る制御部１１は、装置に対する電力供給が停止したとき、予備電源Ｂからの電力供給により血液ポンプ２を駆動させるとともに、接続ラインＬ１１の先端の大気開放部から空気を導入しつつ迂回ラインＬ１０の透析液を含む透析液導入ラインＬ１の透析液を血液回路１に導入し、当該血液回路１内の血液を患者に戻す停電時の返血工程を実行するよう構成されている。
【００５４】
より具体的に説明すると、制御部１１は、装置に対する電力供給が停止すると、図５に示すように、予備電源Ｂによる電力供給にて、電磁弁（Ｖ１、Ｖ２、Ｖ４、Ｖ５、Ｖ６、Ｖ７、Ｖ８、Ｖ９、Ｖ１０、Ｖ１１、Ｖ１２）を閉状態としつつ電磁弁（Ｖ３、Ｖ１３、Ｖ１４）を開状態とする。このとき、複式ポンプ５は停止状態とされるとともに、クランプ部Ｖａは閉状態、クランプ部Ｖｂ、Ｖｃは開状態とされている。
【００５５】
そして、予備電源Ｂによる電力供給にて血液ポンプ２を駆動させると、接続ラインＬ１１の先端の大気開放部を介して外部から空気が導入され、迂回ラインＬ１０の透析液を含む透析液導入ラインＬ１の透析液（図５中太線で示す部位の透析液）が供給ポートＰ１を介して供給流路Ｌ３に至り、血液回路１に導入される。このように、血液回路１に透析液が導入されることにより、血液回路１内の血液を透析液に置換することができるので、血液回路１内の血液を患者に戻して停電時の返血工程を実行することができる。
【００５６】
次に、本発明の第４の実施形態に係る血液浄化装置について説明する。
本実施形態に係る血液浄化装置は、血液透析装置に適用されたもので、図６に示すように、第１の実施形態の構成に加え、迂回ラインＬ１０と、空気導入部としての透析液供給装置（透析液供給源）のタンクＴとを有して構成されている。すなわち、本実施形態に係る血液浄化装置は、血液回路１と、血液ポンプ２と、血液浄化器としてのダイアライザ４と、送液部としての複式ポンプ５と、透析液導入ラインＬ１及び透析液排出ラインＬ２と、濾過フィルタ７ａ、７ｂと、制御部１１と、予備電源Ｂと、迂回ラインＬ１０と、タンクＴとを有して構成されている。なお、第１の実施形態と同様の構成要素には同一の符号を付し、それらの詳細な説明を省略する。
【００５７】
ここで、本実施形態に係る迂回ラインＬ１０は、第３の実施形態と同様、透析液導入ラインＬ１における複式ポンプ５の給液側（送液部）を迂回するための流路から成り、電磁弁Ｖ１３が配設されている。また、空気導入部としての透析液供給装置（透析液供給源）のタンクＴは、透析液を収容しつつ透析液導入ラインＬ１と連通した収容部から成り、その収容部の上部に外部の空気が導入可能とされている。かかる空気導入部（タンクＴ）は、透析液導入ラインＬ１の複式ポンプ５（送液部）より上流側に形成された部位から成る。
【００５８】
これにより、本実施形態に係る制御部１１は、装置に対する電力供給が停止したとき、予備電源Ｂからの電力供給により血液ポンプ２を駆動させるとともに、タンクＴの上部から空気を導入しつつ迂回ラインＬ１０の透析液を含む透析液導入ラインＬ１の透析液を血液回路１に導入し、当該血液回路１内の血液を患者に戻す停電時の返血工程を実行するよう構成されている。
【００５９】
より具体的に説明すると、制御部１１は、装置に対する電力供給が停止すると、図６に示すように、予備電源Ｂによる電力供給にて、電磁弁（Ｖ１、Ｖ２、Ｖ４、Ｖ５、Ｖ６、Ｖ７、Ｖ８、Ｖ９、Ｖ１０、Ｖ１２）を閉状態としつつ電磁弁（Ｖ３、Ｖ１１、Ｖ１３）を開状態とする。このとき、複式ポンプ５は停止状態とされるとともに、クランプ部Ｖａは閉状態、クランプ部Ｖｂ、Ｖｃは開状態とされている。
【００６０】
そして、予備電源Ｂによる電力供給にて血液ポンプ２を駆動させると、タンクＴの上部の空気層を介して外部から空気が導入され、迂回ラインＬ１０の透析液を含む透析液導入ラインＬ１（透析液導入ラインＬ１とタンクＴとを接続する流路を含む）の透析液（図６中太線で示す部位の透析液）が供給ポートＰ１を介して供給流路Ｌ３に至り、血液回路１に導入される。このように、血液回路１に透析液が導入されることにより、血液回路１内の血液を透析液に置換することができるので、血液回路１内の血液を患者に戻して停電時の返血工程を実行することができる。
【００６１】
次に、本発明の第５の実施形態に係る血液浄化装置について説明する。
本実施形態に係る血液浄化装置は、血液透析装置に適用されたもので、図７に示すように、第１の実施形態の構成における供給流路Ｌ３の先端が静脈側血液回路１ｂに接続されるとともに、当該供給流路Ｌ３にしごきポンプから成る供給ポンプＭが配設されている。すなわち、本実施形態に係る血液浄化装置は、血液回路１と、血液ポンプ２と、血液浄化器としてのダイアライザ４と、送液部としての複式ポンプ５と、透析液導入ラインＬ１及び透析液排出ラインＬ２と、濾過フィルタ７ａ、７ｂと、制御部１１と、予備電源Ｂと、供給ポンプＭが配設された供給流路Ｌ３とを有して構成されている。なお、第１の実施形態と同様の構成要素には同一の符号を付し、それらの詳細な説明を省略する。
【００６２】
供給ポンプＭは、供給流路Ｌ３に形成されて透析液導入ラインＬ１の透析液を血液回路１（静脈側血液回路１ｂ）に送液するもので、停電時の返血工程において、予備電源Ｂからの電力供給により血液ポンプ２及び供給ポンプＭを駆動させるよう構成されている。ここで、空気導入部は、第１の実施形態と同様、排出ポートＰ２から成るとともに、迂回ラインＬ８及び迂回ラインＬ９（第１迂回ラインＬ９ａ及び第２迂回ラインＬ９ｂを含む）の透析液を含む透析液導入ラインＬ１又は透析液排出ラインＬ２の透析液を血液回路１に供給可能とされている。
【００６３】
これにより、本実施形態に係る制御部１１は、装置に対する電力供給が停止したとき、予備電源Ｂからの電力供給により血液ポンプ２を駆動させるとともに、排出ポートＰ２（空気導入部）から空気を導入しつつ迂回ライン（Ｌ８、Ｌ９）の透析液を含む透析液導入ラインＬ１又は透析液排出ラインＬ２の透析液を血液回路１に導入し、当該血液回路１内の血液を患者に戻す停電時の返血工程を実行するよう構成されている（第１の実施形態における停電時の返血工程参照）。
【００６４】
ここで、本実施形態においては、停電時の返血工程において、予備電源Ｂからの電力供給により血液ポンプ２及び供給ポンプＭを駆動させるよう構成されている。例えば、停電時の返血工程において、図７に示すように、供給ポンプＭを駆動させて透析液導入ラインＬ１の透析液を血液回路１に導入するとともに、血液ポンプ２を逆回転駆動させるよう制御すれば、動脈側血液回路１ａの血液と静脈側血液回路１ｂの血液の両方を同時に返血することができる。
【００６５】
上記第１〜５の実施形態によれば、停電等によって装置に対する電力供給が停止したとき、予備電源Ｂからの電力供給により血液ポンプ２を駆動させるとともに、空気導入部から空気を導入しつつ迂回ラインの透析液を含む透析液導入ラインＬ１又は透析液排出ラインＬ２の透析液を血液回路１に導入し、当該血液回路１内の血液を患者に戻す停電時の返血工程を実行するので、停電時の返血工程において必要とされる十分な透析液を確保することができるとともに、血液浄化治療時に必要な装置構成を流用して停電時の返血工程を実行させることができる。
【００６６】
また、透析液導入ラインＬ１又は透析液排出ラインＬ２に外部の空気を導入する空気導入部は、透析液導入ラインＬ１の複式ポンプ５（送液部）より上流側又は透析液排出ラインＬ２の複式ポンプ５（送液部）より下流側に形成されるので、停電時の返血工程において、より十分な量の透析液を確保することができる。
【００６７】
さらに、第１の実施形態及び第５の実施形態によれば、透析液導入ラインＬ１又は透析液排出ラインＬ２に外部の空気を導入する空気導入部は、血液回路１と接続されて当該血液回路１内の液体を透析液排出ラインＬ２に排出する排出ポートＰ２であるので、排出ポートＰ２が血液回路１内の液体を排出させる機能と、停電時の返血工程時の空気の導入口としての機能とを兼ね備えることができる。
【００６８】
またさらに、第１の実施形態及び第５の実施形態によれば、迂回ライン（Ｌ８、Ｌ９）は複数形成されるとともに、制御部１１は、当該複数の迂回ライン（Ｌ８、Ｌ９）の透析液を含む透析液導入ラインＬ１又は透析液排出ラインＬ２の透析液を血液回路１に導入させるので、停電時の返血工程において、複数の迂回ライン（Ｌ８、Ｌ９）の透析液を使用することができ、より一層十分な量の透析液を確保することができる。なお、迂回ラインは、本実施形態において２つとされているが、３つ以上であってもよい。
【００６９】
また、第１〜５の実施形態によれば、透析液導入ラインＬ１に形成されて当該透析液導入ラインＬ１を流れる透析液を濾過して浄化する濾過フィルタ（７ａ、７ｂ）を具備し、停電時の返血工程において、濾過フィルタ（７ａ、７ｂ）を通過した透析液を血液回路１に導入するので、停電時に清浄な透析液にて返血工程を行わせることができる。なお、本実施形態においては、２つの濾過フィルタ（７ａ、７ｂ）を通過させているが、何れか一方のみを通過させるようにしてもよい。
【００７０】
さらに、第１〜５の実施形態によれば、透析液導入ラインＬ１と血液回路１とを連通して当該透析液導入ラインＬ１の透析液を血液回路１に供給する供給流路Ｌ３を有するとともに、停電時の返血工程において、当該供給流路Ｌ３を介して透析液が血液回路１に導入されるので、停電時の返血工程を円滑に行わせることができる。なお、ダイアライザ４における透析液流路（中空糸膜内）内の圧力を血液流路内の圧力より大きくして逆濾過することにより、透析液導入ラインＬ１の透析液を血液回路１に導入することにより、停電時の返血工程を行わせるようにしてもよい。
【００７１】
またさらに、第５の実施形態によれば、供給流路Ｌ３に形成されて透析液導入ラインＬ１の透析液を血液回路１に送液する供給ポンプＭを具備し、停電時の返血工程において、予備電源Ｂからの電力供給により血液ポンプ２及び供給ポンプＭを駆動させるので、停電時の返血工程を短時間で行わせることができる。なお、第５の実施形態によれば、停電時の返血工程において、血液ポンプ２と供給ポンプＭとを同時に駆動させているが、交互に駆動させるようにしてもよい。
【００７２】
以上、本実施形態について説明したが、本発明はこれらに限定されず、迂回ラインの透析液を含む透析液導入ラインＬ１又は透析液排出ラインＬ２の透析液を血液回路１に導入し、当該血液回路１内の血液を患者に戻す停電時の返血工程を実行するものであれば、外部の空気を導入する空気導入部は何れの部位であってもよい。また、本実施形態においては、何れも濾過フィルタ（７ａ、７ｂ）を通過させた透析液を血液回路１に導入して停電時の返血工程を実行しているが、濾過フィルタを通過させない透析液を血液回路１に導入して停電時の返血工程を実行するようにしてもよい。
【００７３】
なお、本実施形態においては何れも血液透析装置に適用されているが、体外循環する患者の血液を浄化するための他の血液浄化装置に適用することができる。また、本実施形態においては何れも透析用監視装置（透析液の作製機能がないもの）に適用されているが、個人用透析装置（透析液の作製機能があるもの）にも適用することができる。
【産業上の利用可能性】
【００７４】
装置に対する電力供給が停止したとき、予備電源からの電力供給により血液ポンプを駆動させるとともに、空気導入部から空気を導入しつつ迂回ラインの透析液を含む透析液導入ライン又は透析液排出ラインの透析液を血液回路に導入し、当該血液回路内の血液を患者に戻す停電時の返血工程を実行する血液浄化装置であれば、他の機能が付与されたもの等にも適用することができる。
【符号の説明】
【００７５】
１  血液回路
１ａ  動脈側血液回路
１ｂ  静脈側血液回路
２  血液ポンプ
３  エアトラップチャンバ
４  ダイアライザ（血液浄化器）
５  複式ポンプ（送液部）
６  除水ポンプ
７ａ、７ｂ  濾過フィルタ
８  熱交換器
９  加温器
１０  脱ガスチャンバ
１１  制御部
Ｌ１  透析液導入ライン
Ｌ２  透析液排出ライン
Ｌ３  供給流路
Ｌ４〜Ｌ６  バイパスライン
Ｌ７〜Ｌ１０  迂回ライン
Ｌ９ａ  第１迂回ライン
Ｌ９ｂ  第２迂回ライン
Ｖ１〜Ｖ１４  電磁弁
Ｐ１  供給ポート
Ｐ２  排出ポート（空気導入部）
Ｂ  予備電源
Ｍ  供給ポンプ
【図１】
2020103709.tif 000003
【図２】
2020103709.tif 000004
【図３】
2020103709.tif 000005
【図４】
2020103709.tif 000006
【図５】
2020103709.tif 000007
【図６】
2020103709.tif 000008
【図７】
2020103709.tif 000009